(57)【要約】【課題】  携帯端末側では不要な情報のダウンロード等が行われる無接点充電が行え、クレードル側では電気料金の計算や設備を要せず且つ不利益を被ることなく、携帯端末へ充電電力を供給可能とする。【解決手段】  平面コイル１０を用いて携帯電話端末２からクレードル１へ無接点にて充電用電力を伝送する。クレードル１は、携帯電話端末２へ電力を伝送するのに先立ち、平面コイル１０を通じて、充電用電力伝送の許可認証と携帯電話端末２へのデータ配信の許可認証のための認証用の情報信号とを用いて当該携帯電話端末２の認証を行い、認証ができた時には、予め用意した充電引換配信データを携帯電話端末２へ送信した後、その携帯電話端末２への充電電力の伝送を行う。【選択図】  図１
2008295191.tif 000002
【特許請求の範囲】
【請求項１】
線状導体を巻回して形成されたコイルを介した電磁誘導を利用して、携帯端末の二次電池を充電するための電力を無接点伝送する無接点電力伝送部と、
上記無接点電力伝送部のコイルを通じて、携帯端末との間で情報信号の通信を行うための情報通信部と、
携帯端末への充電用電力伝送の許可認証と携帯端末へのデータ配信の許可認証のための所定の認証用の情報信号を用いて、当該携帯端末の認証を行う認証部と、
少なくとも、認証部にて認証できた携帯端末へ配信するために予め用意された配信データを上記認証部が認証した携帯端末へ上記情報信号として情報通信部から送信させる制御と、上記認証部が認証した携帯端末に対して上記二次電池の充電電力を上記無接点電力伝送部から無接点伝送させる制御とを行う制御部と、
を有することを特徴とする無接点充電装置。
【請求項２】
上記制御部は、上記配信データを携帯端末へ情報通信部から送信させる制御が終了した後に、携帯端末の二次電池の充電電力を上記無接点電力伝送部から無接点伝送させる制御を行うことを特徴とする請求項１記載の無接点充電装置。
【請求項３】
認証部にて認証できた携帯端末へ配信するために予め用意された配信データを保持するメモリ部を有することを特徴とする請求項１記載の無接点充電装置。
【請求項４】
上記認証部は、無接点電力伝送部から無接点電力伝送される充電用電力を受電可能な携帯端末であることを判定するための端末認証用の情報信号と、データ配信を許可する会員ユーザの端末であることを判定するための会員認証用の情報信号とを用いて、上記携帯端末の認証を行うことを特徴とする請求項１記載の無接点充電装置。
【請求項５】
上記制御部は、上記配信データのデータ量に応じた量の充電電力を上記無接点電力伝送部から無接点伝送させる制御を行うことを特徴とする請求項１記載の無接点充電装置。
【請求項６】
上記制御部は、上記配信データのデータ量に応じた時間だけ、上記充電電力を上記無接点電力伝送部から無接点伝送させる制御を行うことを特徴とする請求項１記載の無接点充電装置。
【請求項７】
上記制御部は、情報通信部による情報通信を通じて上記携帯端末の二次電池の電圧値をモニタし、上記電圧値が携帯端末にて上記配信データを受信するのに必要な電圧値に満たない時、上記情報通信部から配信データを送信させるのに先立ち、当該配信データを携帯端末が受信するのに必要な量の充電電力を上記無接点電力伝送部から無接点伝送させる制御を行うことを特徴とする請求項１記載の無接点充電装置。
【請求項８】
上記制御部は、上記携帯端末が配信データの配信を許可しない時、上記携帯端末へ上記無接点電力伝送部からの充電電力の無接点伝送について、上記配信データの配信に相当する額の課金を行うことを特徴とする請求項１記載の無接点充電装置。
【請求項９】
上記制御部は、情報通信部による情報通信を通じて上記携帯端末の内部メモリに新たにデータを蓄積可能なメモリ容量を判断し、当該蓄積可能なメモリ容量に基づいて、上記情報通信部から送信させる配信データを決定することを特徴とする請求項１記載の無接点充電装置。
【請求項１０】
線状導体を巻回して形成されたコイルを介した電磁誘導を利用して、無接点充電装置から無接点伝送される電力を受電する無接点電力伝送部と、
二次電池と、
上記無接点電力伝送部のコイルを通じて受電した電力を上記二次電池へ充電する制御を行う充電制御回路と、
上記無接点電力伝送部のコイルを通じて、無接点充電装置との間で情報信号の通信を行うための情報通信部と、
充電用電力伝送の許可認証と自端末へのデータ配信の許可認証のための所定の認証用の情報信号を、上記無接点充電装置へ情報通信部から上記情報信号として送信させる制御を行う制御部と、
少なくとも上記情報通信部を通じて上記無接点充電装置から受信した配信データを出力するユーザインターフェース部と、
を有することを特徴とする携帯端末。
【請求項１１】
上記情報通信部を通じて上記無接点充電装置から受信した配信データを保持するメモリ部を有することを特徴とする請求項１０記載の携帯端末。
【請求項１２】
上記制御部は、無接点充電装置から無接点電力伝送される充電用電力を受電可能な携帯端末であることを示す端末認証用の情報信号と、データ配信を許可する会員ユーザの端末であることを示す会員認証用の情報信号とを、上記無接点充電装置へ情報通信部から上記情報信号として送信させる制御を行うことを特徴とする請求項１０記載の携帯端末。
【請求項１３】
上記二次電池の電圧値を検知する電圧値検知部を有し、
上記制御部は、当該電圧値検知部が検知した電圧値データを上記無接点充電装置へ情報通信部から上記情報信号として送信させる制御を行うことを特徴とする請求項１０記載の携帯端末。
【請求項１４】
上記制御部は、上記メモリ部に新たなデータを蓄積可能なメモリ容量を検知し、当該検知したメモリ容量データを、上記無接点充電装置へ情報通信部から上記情報信号として送信させる制御を行うことを特徴とする請求項１１記載の携帯端末。
【請求項１５】
線状導体を巻回して形成されたコイルを介した電磁誘導を利用して携帯端末の二次電池を充電するための電力を無接点伝送する無接点充電装置と、線状導体を巻回して形成されたコイルを介した電磁誘導を利用して無接点充電装置から無接点伝送される電力を受電して二次電池の充電を行う携帯端末とからなる無接点電力伝送システムにおいて、
上記無接点充電装置は、上記コイルを通じて携帯端末との間で情報信号の通信を行い、携帯端末への充電用電力伝送の許可認証と携帯端末へのデータ配信の許可認証のための所定の認証用の情報信号を用いて当該携帯端末の認証を行い、認証できた携帯端末へ配信するために予め用意された配信データを当該認証した携帯端末へ情報信号として送信させる制御と、認証した携帯端末に対して二次電池の充電電力を無接点伝送させる制御とを行い、
上記携帯端末は、上記コイルを通じて無接点充電装置との間で情報信号の通信を行い、充電用電力伝送の許可認証と自端末へのデータ配信の許可認証のための所定の認証用の情報信号を、上記無接点充電装置へ情報信号として送信させる制御を行い、少なくとも上記無接点充電装置から受信した配信データをユーザインターフェース部を通じて出力する、
ことを特徴とする無接点電力伝送システム。
【発明の詳細な説明】
【技術分野】
【０００１】
本発明は、例えば携帯電話端末などの小型且つ薄型の携帯端末に内蔵された二次電池の充電を行うための電力を、電磁誘導を利用して無接点にて伝送する無接点充電装置、その無接点充電装置から伝送された電力により二次電池の充電を行う携帯端末と、それら無接点充電装置と携帯端末からなる無接点電力伝送システムに関する。
【背景技術】
【０００２】
従来より、例えば携帯端末に内蔵された二次電池を充電するための充電用電力を、無接点電力伝送コイルによる電磁誘導を利用して伝送するようなシステムが知られている。
【０００３】
また、特開２００７−９７３３１号の公開特許公報（特許文献１）には、コイルの磁気誘導を利用して充電台から携帯電話機へ無接点充電を行う充電装置及び充電システムにおいて、携帯電話機には非接触ＩＣカード部が設けられ、充電台には非接触ＩＣカード認証部と電話機接続検出部が設けられ、充電台に携帯電話機が載置されたとき、電話機接続検出部によりＩＣカード認証部電源が能動化され、これによりＩＣカード認証部が機能し、充電台に載置された認証対象物が正規の携帯電話機であるかどうかを認証し、そして、認証結果がＯＫである場合には、一次側充電回路が能動化されて、携帯電話機の二次側充電回路を介して無接点にて二次電池の充電が行われ、一方、認証結果がＮＧである場合には充電動作をさせないようにした技術が開示されている。
【０００４】
また、特開２００５−５７９１７号の公開特許公報（特許文献２）には、駅のプラットホーム等に携帯電話機用の充電装置を設け、例えば電車を待っている人がその充電装置に携帯電話機をセットすることで当該携帯電話機への充電を可能にすると共に、充電装置内には予め店舗や観光情報等の配信情報を登録した登録装置が内蔵されており、上記充電中にその配信情報を携帯電話機へダウンロードするような携帯端末充電システムが開示されている。なお、この特許文献２には、充電を行った携帯電話機の使用者に対し、充電サービスの利用における課金についても記載されている。
【０００５】
また、特開２００２−３１９８９３号の公開特許公報（特許文献３）には、複数の携帯電話機を充電することができる複数の充電装置と、携帯電話機との情報交換に基づいて充電装置に充電を開始させると共に携帯電話機の認証を行い、充電装置の使用に対して課金（使用量、使用時間等に応じた課金）を行う充電制御部とを備えた携帯電話機充電システムが開示されている。その他、この特許文献３には、携帯電話機の電池容量が全くない場合に、本格的な充電開始までの一定時間、携帯電話機と充電制御部との間の情報交換無しに充電を行う技術なども開示されている。
【０００６】
【特許文献１】特開２００７−９７３３１号公報（図１）
【特許文献２】特開２００５−５７９１７号公報（図１）
【特許文献３】特開２００２−３１９８９３号公報（図１）
【発明の開示】
【発明が解決しようとする課題】
【０００７】
ところで、近年の携帯電話端末は、デジタルカメラ機能や音楽機能，デジタルテレビジョン受信機能など、多種多様の機能を備えてきている。一方で、バッテリの大容量化について様々な検討や開発がなされてきてはいるが、現状ではバッテリの容量増加よりも携帯電話端末の多機能化及び高機能化による電力消費量の増加の方が上回る傾向にある。このため、例えば外出先などでバッテリ切れが発生してしまうことが懸念されている。
【０００８】
外出先での電池切れへの対処法としては、従来より、充電用のＡＣアダプタ及びコネクタや予備バッテリを常に持ち歩くような手法が採られている。しかしながら、充電用ＡＣアダプタ及びコネクタや予備バッテリを常に持ち歩くことは、ユーザにとって非常に負担が大きい。
【０００９】
一方、例えば、特許文献１に記載されているようなコイルによる電磁誘導を利用した充電システムの場合は、無接点での電力伝送が可能であるため、例えば、コイルを備えた充電台が様々な場所に用意された環境が整っていれば、その充電台へ携帯電話端末を載せるだけで充電を行えることになるため、ユーザは、充電用ＡＣアダプタ及びコネクタや予備バッテリを常に持ち歩かなくても、外出先で携帯電話端末の充電を行えることになる。
【００１０】
但し、外出先でユーザが携帯電話端末への充電を行う場合、当該ユーザの携帯電話端末へ充電用電力を供給する側は、その充電用電力分の電気料金を負担しなければならなくなる。勿論、上述した特許文献２や特許文献３に記載されているように、携帯電話機への充電に対して課金したり、或る一定額の電気料金に相当する電力のみを携帯電話機へ充電するようなことも可能ではあるが、携帯電話機の充電に要する電気料金を正確に計算することは容易ではなく、また、或る一定額の電気料金に相当する電力のみを充電用に携帯電話機へ送電するようなことを実現するにはそれ相応の設備が必要になってしまう。
【００１１】
さらに、特許文献２には、携帯電話機の充電中に、店舗や観光情報等の配信情報を携帯電話端末へダウンロードすること、すなわち言い換えると、配信情報のダウンロードと引き換えに携帯電話端末へ充電電力を供給することも可能となされているが、ユーザは、必要の無い配信情報が携帯電話端末にダウンロードされてしまうことを望まないことも多い。
【００１２】
本発明は、このような実情に鑑みて提案されたものであり、携帯端末の内蔵二次電池の充電電力を電磁誘導を利用して無接点にて伝送すると共に、携帯端末のユーザ側は、不要な配信情報のダウンロード等が行われることなく携帯端末の充電が可能であり、一方、携帯端末へ充電用電力を供給する側は、複雑な電気料金の計算や設備を要せず且つ電力供給による不利益を被ることなく、携帯端末へ充電電力を供給することを可能とする、無接点充電装置、携帯端末、及び、無接点電力伝送システムを提供することを目的とする。
【課題を解決するための手段】
【００１３】
本発明の無接点充電装置は、線状導体を巻回して形成されたコイルを介した電磁誘導を利用して携帯端末の二次電池を充電するための電力を無接点伝送する無接点電力伝送部と、無接点電力伝送部のコイルを通じて携帯端末との間で情報信号の通信を行うための情報通信部と、携帯端末への充電用電力伝送の許可認証と携帯端末へのデータ配信の許可認証のための所定の認証用の情報信号を用いて当該携帯端末の認証を行う認証部と、少なくとも、認証部にて認証できた携帯端末へ配信するために予め用意された配信データを認証部が認証した携帯端末へ情報信号として情報通信部から送信させる制御と、認証部が認証した携帯端末に対して二次電池の充電電力を無接点電力伝送部から無接点伝送させる制御とを行う制御部とを有することにより、上述した課題を解決する。
【００１４】
また、本発明の携帯端末は、線状導体を巻回して形成されたコイルを介した電磁誘導を利用して無接点充電装置から無接点伝送される電力を受電する無接点電力伝送部と、二次電池と、無接点電力伝送部のコイルを通じて受電した電力を二次電池へ充電する制御を行う充電制御回路と、無接点電力伝送部のコイルを通じて無接点充電装置との間で情報信号の通信を行うための情報通信部と、充電用電力伝送の許可認証と自端末へのデータ配信の許可認証のための所定の認証用の情報信号を無接点充電装置へ情報通信部から情報信号として送信させる制御を行う制御部と、少なくとも情報通信部を通じて無接点充電装置から受信した配信データを出力するユーザインターフェース部とを有することにより、上述した課題を解決する。
【００１５】
また、本発明の無接点電力伝送システムは、線状導体を巻回して形成されたコイルを介した電磁誘導を利用して携帯端末の二次電池を充電するための電力を無接点伝送する無接点充電装置と、線状導体を巻回して形成されたコイルを介した電磁誘導を利用して無接点充電装置から無接点伝送される電力を受電して二次電池の充電を行う携帯端末とからなり、無接点充電装置は、コイルを通じて携帯端末との間で情報信号の通信を行い、携帯端末への充電用電力伝送の許可認証と携帯端末へのデータ配信の許可認証のための所定の認証用の情報信号を用いて当該携帯端末の認証を行い、認証できた携帯端末へ配信するために予め用意された配信データを当該認証した携帯端末へ情報信号として送信させる制御と、認証した携帯端末に対して二次電池の充電電力を無接点伝送させる制御とを行い、携帯端末は、コイルを通じて無接点充電装置との間で情報信号の通信を行い、充電用電力伝送の許可認証と自端末へのデータ配信の許可認証のための所定の認証用の情報信号を、無接点充電装置へ情報信号として送信させる制御を行い、少なくとも無接点充電装置から受信した配信データをユーザインターフェース部を通じて出力することにより、上述した課題を解決する。
【００１６】
すなわち、本発明によれば、無接点充電装置から携帯端末への充電用電力の伝送は電磁誘導を利用した無接点にて行われ、また、無接点充電装置から携帯端末へのデータ配信は許可認証のための認証用情報信号に基づいて行われている。さらに、無接点充電装置から携帯端末への充電用電力の伝送は、データ配信を許可した携帯端末に対して行われると共に、そのデータ配信と引き換えに行われる。
【発明の効果】
【００１７】
本発明においては、無接点充電装置から携帯端末への充電用電力の伝送は電磁誘導を利用して無接点にて行われるため、携帯端末の充電のためにＡＣアダプタやコネクタは不要である。また、無接点充電装置から携帯端末へのデータ配信は許可認証のための認証用情報信号に基づいて行われるため、携帯端末のユーザ側に不要な配信情報のダウンロード等が行われることはない。また、無接点充電装置から携帯端末への充電用電力の伝送は、データ配信を許可した携帯端末に対して行われると共に、そのデータ配信と引き換えに行われるため、携帯端末へ充電用電力を供給する無接点充電装置側は、複雑な電気料金の計算や設備を要せず且つ電力供給による不利益を被ることなく、携帯端末へ充電電力を供給することができる。
【発明を実施するための最良の形態】
【００１８】
以下、図面を参照しながら、本発明の一実施形態について説明する。
【００１９】
本実施形態では、例えば単線や撚り線若しくは平面状導体パターンからなる線状導体を略々同一平面内に渦巻き状に巻回して形成された無接点電力伝送コイルを用いた電磁誘導により、本発明の無接点充電装置の一例であるクレードル側から、本発明の携帯端末の一例である携帯電話端末へバッテリ充電用電力を伝送する無接点電力伝送システムを例に挙げている。勿論、ここで説明する内容はあくまで一例であり、本発明はこの例に限定されないことは言うまでもない。
【００２０】
〔無接点電力伝送システムの概略構成例〕
図１には、本実施形態の無接点電力伝送システムの一構成例を示す。
【００２１】
図１において、本実施形態のクレードル１は、例えば、店舗や飲食店内、観光地のインフォメーションセンタ内、劇場内、美術館内、遊園地等の施設内、公共施設内など、ユーザの家庭内とは別の様々な場所に設置されるものである。本実施形態のクレードル１は、商用電源等に接続されるＡＣアダプタ３、そのＡＣアダプタ３とクレードル１の本体とを接続する電源コード１２、上記単線や撚り線若しくは平面状導体パターンからなる線状導体を略々同一平面内に渦巻き状に巻回して形成された無接点電力伝送コイル（以下、一次側平面コイル１０と表記する。）、上記一次側平面コイル１０を介した携帯電話端末２への無接点電力伝送制御を行うための電力伝送制御回路部等を備えた制御基板部１１、例えば外部メモリ４が挿入される外部メモリスロット５等を備えている。
【００２２】
また、本実施形態のクレードル１の制御基板部１１は、上記電力伝送制御回路部の他に、当該クレードル１の端末載置台上に載置された携帯端末やその端末ユーザの認証を行うための認証回路部と、内部メモリ若しくは外部メモリ４に蓄積されているデータを上記一次側平面コイル１０を通じて携帯電話端末２へ送信したり、携帯電話端末２側から送信されてきたデータを上記一次側平面コイル１０を通じて受信するためのデータ通信回路部をも備えている。
【００２３】
また、本実施形態において、当該クレードル１の内部メモリや上記外部メモリスロット５に挿入される外部メモリ４には、そのクレードル１が設置されている場所や施設等に関連した様々なデータが蓄積されている。すなわち、クレードル１の内部メモリや外部メモリ４には、一例として、当該クレードル１が店舗や飲食店内に設置されている場合には、その店舗や飲食店の例えば広告情報やクーポン情報、アンケート情報など、それら店舗や飲食店側が端末ユーザへ配信することを望むデータが蓄積され、また例えば、当該クレードル１が観光地のインフォメーションセンタ内に設置されている場合には、その観光地のお勧めスポット情報やアンケート情報など、その観光地のインフォメーションセンタ側が端末ユーザへ配信することを望むデータが蓄積され、同様に、クレードル１が劇場内、美術館内、遊園地等の施設内、公共施設内等に設置されている場合には、それら各施設等の催し物情報やアンケート情報など、各施設側が端末ユーザへ配信することを望むデータが蓄積されている。本実施形態において、これらのデータは、携帯電話端末２への充電電力の供給と引き換えに、当該クレードル１側から携帯電話端末２へ伝送するされるデータであり、以下、本実施形態では、これらのデータを充電引換配信データと表記することとする。なお、充電引換配信データは、ＬＡＮやインターネット等のネットワークを通じてクレードル２の内部メモリに登録されたり、内部メモリに蓄積されずにＬＡＮやインターネット等のネットワークを通じてクレードル２から直接携帯電話端末２へ伝送されても良い。また、充電引換配信データは、クレードル１の設置者が自由に変更・書き換え可能なデータとなっている。
【００２４】
その他、本実施形態において、上記ＡＣアダプタ３は、クレードル１に内蔵されていても良い。また、図１では図示を省略しているが、クレードル１には、例えばタッチパネルやキーボード等の入力ユーザインターフェース部や、ディスプレイやスピーカ等の出力ユーザインターフェース部を備えていても良い。勿論、それら入力ユーザインターフェース部や出力ユーザインターフェース部は、クレードル１に設けられていても良いし、ケーブル等を介してクレードル１に接続されていても良い。その他、クレードル１は、携帯電話端末用の一般的な卓上ホルダの形状を有するものであっても良いし、テーブル等に組み込まれて一体化されたものであっても良い。
【００２５】
本実施形態の携帯電話端末２は、一般的な携帯電話端末が備えている各種機能の他に、単線や撚り線若しくは平面状パターンからなる線状導体を略々同一平面内に渦巻き状に巻回して形成された無接点電力伝送コイル（以下、二次側平面コイルと表記する）を備えており、当該二次側平面コイルを用いて上記クレードル１側から送電される電力を受電して内部バッテリの充電を行う機能を備えている。
【００２６】
また、本実施形態の携帯電話端末２は、自端末がクレードル１の端末載置台上に載置された時にそのクレードル１や当該クレードル１の設置者の認証を行う機能と、自端末の内蔵バッテリ電圧データを上記二次側平面コイルを通じてクレードル１へ送信したり、上記クレードル１側から送信されてきたデータを上記二次側平面コイル２を通じて受信するためのデータ通信機能をも備えている。さらに、本実施形態の携帯電話端末２は、上記クレードル１側から送られてきたデータを受信した場合には、必要に応じて、そのデータを内部メモリや外部メモリに蓄積したり、当該データをユーザが認識可能な形態にして出力すること、すなわち例えば受信したデータが表示可能なデータである場合には内蔵ディスプレイへ表示したり、また例えば受信したデータが音声出力可能なデータである場合には内蔵スピーカから音声出力するなどの機能をも備えている。
【００２７】
〔携帯電話端末とクレードルの概略構成及び充電時の基本動作〕
図２には、本発明実施形態の携帯電話端末２とクレードル１との間で行われる無接点電力伝送に関連した主要部の概略的構造の断面を示す。
【００２８】
本実施形態の携帯電話端末２は、少なくとも、当該端末の動作電力を発生する二次電池からなるバッテリ１６と、上記バッテリ１６の充電を行う際の受電側の無接点電力伝送コイルである二次側平面コイル１４と、上記二次側平面コイル１４を通じて受電した電力を上記バッテリ１６へ供給して充電させるための充電制御回路を含む各種電子回路が実装された回路基板１５とを、当該端末筐体の内部に備えている。なお、本実施形態においては、一般的な携帯電話端末が備えているその他の構成要素の図示及び説明については省略している。
【００２９】
上記バッテリ１６は着脱可能となされており、したがって、携帯電話端末２には当該バッテリ１６を着脱する際に開閉（若しくは着脱）されるバッテリ蓋１３が設けられている。
【００３０】
上記二次側平面コイル１４は、導電性を有する線状導体が渦巻き状に形成された平面コイルとなされており、当該二次側平面コイル１４の一方の平面部が、上記バッテリ蓋１３の内壁面、若しくは上記バッテリ１６のバッテリ蓋側の外表面上に例えば貼り付けられている。本実施形態では、上記バッテリ蓋１３の内壁面に二次側平面コイル１４が貼り付けられているとする。
【００３１】
一方、本実施形態のクレードル１は、少なくとも、携帯電話端末２のバッテリ１６の充電を行う際の送電側の無接点電力伝送コイルである一次側平面コイル１０と、当該一次側平面コイル１０への電力供給とその制御を行う制御基板部１１と、例えばＡＣアダプタ３に接続される電源コード１２とを備えている。なお、本実施形態において、一般的なクレードルが備えているその他の構成要素の図示及び説明については省略する。
【００３２】
このクレードル１の一次側平面コイル１０は、携帯電話端末２の二次側平面コイル１４と略々同様に、導電性を有する線状導体が渦巻き状に形成された平面コイルとなされており、当該一次側平面コイル１０の一方の平面部が、当該クレードル１に設けられている或る程度の大きさを有した平面状の端末載置台の筐体内壁面側に貼り付けられている。
【００３３】
制御基板部１１は、当該クレードル１の端末載置台に上記携帯電話端末２が置かれ、その携帯電話端末２の二次側平面コイル１４と当該クレードル１の一次側平面コイル１０とが近接配置することにより、一次側平面コイル１０内の磁界の状態が変化した時に、その磁界の状態変化に応じた電圧変動を検知可能となされている。そして、制御基板部１１は、上記二次側平面コイル１４が近接配置された時の一次側平面コイル１０における磁界の状態変化に応じた電圧変動による電圧値が、予め定めた所定の電圧値になったことを検知した時に、当該クレードル１の端末載置台に携帯電話端末２が置かれたと判断する。
【００３４】
同様に、本実施形態の携帯電話端末２の充電制御回路は、クレードル１の端末載置台に自端末が置かれて、二次側平面コイル１４とクレードル１の一次側平面コイル１０とが近接配置することで、二次側平面コイル１４内の磁界の状態に変化が生じた時、その磁界状態変化に応じた電圧変動を検知可能となされている。そして、携帯電話端末２の充電制御回路は、上記一次側平面コイル１０が近接配置された時の二次側平面コイル１４における磁界の状態変化に応じた電圧変動による電圧値が、予め定めた所定の電圧値になったことを検知した時に、自端末がクレードル１の端末載置台に置かれたと判断する。
【００３５】
また、本実施形態において、クレードル１と携帯電話端末２は、上記一次側平面コイル１０及び二次側平面コイル１４を通じた情報の伝達が可能となされている。例えば、上記携帯電話端末２がクレードル１の端末載置台に置かれ、上述のように磁界の状態変化に基づいて相互に一次側コイル１０と二次側コイル１４との近接配置を検知した時、それらクレードル１と携帯電話端末２は、上記一次側平面コイル１０及び二次側平面コイル１４を介した情報伝達により、互いに相手方を認証するための認証信号の交換を行う。
【００３６】
そして、本実施形態において、上記一次側コイル１０と二次側コイル１４とが近接配置されたことをクレードル１及び携帯電話端末２が共に検知し、更に、クレードル１と携帯電話端末２とが互いに相手方を認証できた時、必要に応じてクレードル１から電力伝送が行われ、その伝送された電力により携帯電話端末２のバッテリ１６の充電が行われることになる。なお、本実施形態の場合、詳細については後述するが、実際にクレードル１から携帯電話端末２への充電用の電力が伝送されるのは、前記充電引換配信データ（前述した広告情報やクーポン情報、お勧めスポット情報や催し物情報など）を、当該携帯電話端末２へ伝送した後か若しくは伝送が許可された時に行われることになる。
【００３７】
実際に携帯電話端末２のバッテリ１６への充電が開始される場合、上記クレードル１の制御基板部１１は、上記電源コード１２を通じて供給される商用交流電圧を所定の直流電圧に変換し、その直流電圧を用いて所定の周波数の交流電圧を生成して、当該生成した交流電圧を上記一次側平面コイル１０へ供給し、当該一次側平面コイル１０を所定の共振周波数で発振させる。
【００３８】
一方、携帯電話端末２側では、上記クレードル１の一次側平面コイル１０の発振によって上記二次側平面コイル１４に交流電圧が誘起されると、その誘起された交流電圧を整流して直流電圧に変換し、その直流電圧によりバッテリ１６の充電を行う。
【００３９】
また、本実施形態において、クレードル１の制御基板部１１は、一次側平面コイル１０の磁界の状態変化に基づく電圧値が予め定めた所定の電圧値にならなかった時、若しくは、一次側平面コイル１０の磁界の状態変化に基づく電圧値が予め定めた所定の電圧値になった場合でも上記認証信号により相手方の認証が出来なかった時には、上記一次側平面コイル１０の磁界の状態変化が例えばコイン等の金属物体やその他の導電性物体が端末載置台に載っていることで発生したものであると判断し、上記一次側平面コイル１０への電力供給を行わないように制御する。
【００４０】
また、本実施形態において、クレードル１からの電力伝送により携帯電話端末２のバッテリ１６の充電が行われている時、それらクレードル１と携帯電話端末２との間では、上記一次側平面コイル１０及び二次側平面コイル１４を介して充電データの伝達が行われる。すなわち、携帯電話端末２の充電制御回路は、クレードル１からの電力伝送によりバッテリ１６の充電が行われている時、そのバッテリ１６の充電データ（例えばバッテリ電圧データ）をクレードル１へ伝送する。クレードル１の制御基板部１１は、携帯電話端末２から伝達された充電データにより、その端末２のバッテリ１６の充電状況を監視しており、バッテリ１６の充電が完了していないことを当該充電データにより把握している場合には上記一次側平面コイル１０を通じた電力伝送を続行し、一方、バッテリ１６の充電が完了したことを充電データにより把握した場合には電力伝送を停止するような制御を行う。その他にも、制御基板部１１は、例えば、携帯電話端末２から何らかの異常を示す情報が供給されたような場合にも電力伝送を停止する制御を行う。なお、本実施形態では、上述のように携帯電話端末２の充電が完了するまでクレードル１から電力伝送を続ける場合の他、詳細については後述するが、充電引換配信データの量に応じた量の電力のみをクレードル１から携帯電話端末２へ伝送したり、或いは、充電引換配信データの量に応じた時間だけクレードル１から携帯電話端末２へ充電電力を伝送するようなことも可能となされている。
【００４１】
〔携帯電話端末とクレードルの詳細な内部回路構成〕
図３には、本実施形態のクレードル１と携帯電話端末２における無接点電力伝送とデータ伝送に関連した主要部の詳細な内部回路構成を示す。
【００４２】
図３において、クレードル１側の内部回路２０は、前記図２の制御基板部１１に含まれており、主要な構成要素として、送電制御部２２、送電回路２３、及び一次側平面コイル１０、ＣＰＵ（中央処理ユニット）３１、内部メモリ３２若しくは外部メモリ３３（図１の外部メモリ４）、入力ユーザインターフェース（Ｉ／Ｆ）部３４、出力ユーザインターフェース（Ｉ／Ｆ）部３５、ネットワークインターフェース（Ｉ／Ｆ）３６等を有して構成されている。
【００４３】
前述の図１に示したＡＣアダプタ３からの直流電圧は、送電制御部２２を介して送電回路２３へ供給される。
【００４４】
送電回路２３は、少なくとも発振回路とドライバ及び共振回路を有して構成されている。  発振回路は、例えば当該クレードル１から携帯電話端末２へ充電電力を伝送する際の基準発振信号を生成し、その基準発振信号をドライバへ出力する。ドライバは、送電制御部２２の制御回路２５による制御の元で、上記発振回路からの基準発振信号を用いて、上記直流電圧を所定の周波数の交流電圧に変換する。共振回路は、コンデンサとスイッチを有し、一次側平面コイル１０に接続され、コンデンサの容量とコイルのインダクタンスとにより共振回路を構成しており、上記ドライバからの交流電圧に応じて共振する。これにより、一次側平面コイル１０を所定の共振周波数で発振させる。また、送電回路２３は、送電制御部２２の制御回路２５から供給されるデータ送信用変調信号を上記電力伝送用の交流信号に重畳することにより、携帯電話端末２へのデータ送信も行う。
【００４５】
上記一次側平面コイル１０の両コイル端部間には、分圧抵抗２４が接続されている。当該分圧抵抗２４は、一次側平面コイル１０の両コイル端部間における電圧を分圧し、その分圧出力を送電制御部２２へ送るために設けられている。
【００４６】
送電制御部２２は、主要な構成要素として、制御回路２５、波形検出器２６、電圧監視器２７、温度検出器２８等を備えている。
【００４７】
当該送電制御部２２の波形検出器２６には、上記一次側平面コイル１０の両コイル端部間に表れる電圧を分圧抵抗２４により分圧した出力が供給される。当該波形検出器２６は、上記分圧出力の信号波形を検出して、その検出波形信号を制御回路２５へ出力する。
【００４８】
上記制御回路２５は、当該クレードル１から携帯電話端末２側へ充電電力を伝送する場合には、上記送電回路２３のドライバを制御し、当該ドライバから一次側平面コイル１０へ上記所定の周波数の交流電圧を供給させる。
【００４９】
また、制御回路２５は、上記分圧抵抗２４及び波形検出器２６を通じて供給された上記検出波形信号、つまり一次側平面コイル１０の両コイル端部間に表れる電圧波形の検出波形信号に基づいて、当該クレードル１の端末載置台への携帯電話端末２の接近，離脱の判断等を行う。すなわち制御回路２５は、端末載置台への携帯電話端末２の接近，離脱により上記一次側平面コイル１０に発生する電圧変動を、上記分圧抵抗２４及び波形検出器２６を通じた検出波形信号により検知する。そして、制御回路２５は、上記端末載置台への携帯電話端末２の接近，離脱の検知に基づき、必要に応じて、ドライバ２３から一次側平面コイル１０への交流電圧の供給と停止の制御などを行う。
【００５０】
電圧監視器２７は、例えば上記分圧抵抗２４からの電圧値に基づいて、一次側平面コイル１０に規定外の異常電圧が発生するか若しくはその発生が予測されるかどうかを監視する。そして、電圧監視器２７は、規定外の異常電圧が発生したことを検知若しくはその発生を予測した場合には、その旨の検知情報を制御回路２５へ送る。
【００５１】
温度検出器２８は、例えば一次側平面コイル１０の近傍若しくはその内部に設けられている温度センサ（サーミスタ）３０からの信号に基づいて、一次側平面コイル１０が規定外の異常温度になるか若しくは異常温度になることが予測されるかどうかを監視する。そして、温度検出器２８は、規定外の異常温度になったことを検知若しくは異常温度になると予測した場合には、その旨の検知情報を制御回路２５へ送る。
【００５２】
そして、制御回路２５は、当該クレードル１から携帯電話端末２側へ充電電力を伝送する際若しくは伝送中、或いは、それら以外の時に、上記異常電圧の検知情報又は上記異常温度の検知情報の何れか一方でも受け取った場合、上記送電回路２３の動作を停止させて一次側平面コイル１０への電力供給を停止若しくは供給開始を行わないような制御を行う。
【００５３】
また、制御回路２５は変復調回路２９を有している。当該変復調回路２９は、携帯電話端末２へのデータ送信を行う際には、その送信データに応じて変調した信号を生成し、その変調信号を送電回路２３へ送る。これにより、携帯電話端末２へのデータ送信が行われる。一方、携帯電話端末２からのデータ受信を行う場合、制御回路２５は、上記分圧抵抗２４及び波形検出器２６を通じて供給された上記検出波形信号から、上記携帯電話端末２側から送信されてきた変調信号の抽出を行う。そして、変復調回路２９では、上記変調信号の復調が行われる。これにより、携帯電話端末２から送信されてきたデータの受信が行われる。
【００５４】
ＣＰＵ３１は、当該クレードル１全体の制御を行う。具体的な制御例として、ＣＰＵ３１は、当該クレードル１の送電制御部２２による電力伝送の制御や、クレードル１の端末載置台上に載置された携帯電話端末２の認証処理及び制御、携帯電話端末２との間のデータ通信の制御等を行う。なお、図３の例では、当該クレードル１のＣＰＵ３１には、タッチパネルやキーボード等の入力ユーザＩ／Ｆ部３４や、ディスプレイやスピーカ等の出力ユーザＩ／Ｆ部３５、ＬＡＮやインターネット等に接続するためのネットワークＩ／Ｆ部３６、外部メモリ３３、内部メモリ３２等が接続された例を挙げているが、それらは一例であり、さらに多くの構成要素が接続されていても良い。
【００５５】
ここで、クレードル１が携帯電話端末２の認証を行う場合、ＣＰＵ３１は、携帯電話端末２側から送られてくる認証信号と、例えば内部メモリ３２等に予め用意されている認証用情報とに基づいた認証処理を行う。なお、本実施形態のクレードル１で行われる認証処理としては、少なくとも、当該クレードル１により無接点充電が可能な機種の携帯電話端末であるか否かを照合する認証処理と、前記充電引換配信データの伝送に応じた充電を許可するか否かを照合する認証処理とがあり、ＣＰＵ３１では、それらの認証処理及びそのための制御を行う。また、充電引換配信データの伝送に応じた充電の許可照合のための認証処理は、当該クレードル１と予め登録された携帯電話端末２との組み合わせが正しいことを照合する認証処理であっても良いし、携帯電話端末２に事前に組み込まれている例えば会員証情報のようなＩＤの照合を行うような認証処理であっても良い。
【００５６】
また、上記携帯電話端末２へ前記充電引換配信データを伝送する処理を開始する場合、ＣＰＵ３１は、最初に携帯電話端末２側の内蔵バッテリ４５の電圧値をモニタし、バッテリ電圧が所定電圧以下である場合、つまり携帯電話端末２側にてデータ受信及び保存動作を行うのに耐え得るだけのバッテリ残容量が無いような場合には、実際に充電引換配信データの伝送を開始する前に、少なくとも当該充電引換配信データを受信できるだけの或る程度の量の電力を携帯電話端末２へ伝送して充電を行わせ、その電力伝送及び充電が終わった後に、実際に上記充電引換配信データの伝送を開始する制御を行う。なお、携帯電話端末２への充電引換配信データの伝送開始は、例えば自動的に行われても良いし、例えば入力ユーザＩ／Ｆ部３４のタッチパネルやスイッチ等を通じてユーザが伝送開始の指示入力を行った時になされても良い。
【００５７】
また、前記充電引換配信データを上記携帯電話端末２へ実際に伝送した場合、ＣＰＵ３１は、例えば、充電引換配信データのデータ量に応じた量の電力のみを携帯電話端末２へ伝送するような制御を行っても良いし、充電引換配信データのデータ量に応じた時間分だけ携帯電話端末２へ充電電力を伝送するような制御を行っても良い。
【００５８】
その他、ＣＰＵ３１は、例えば端末載置台上に携帯電話端末２が載置され、その携帯電話端末２への充電と引き換えに充電引換配信データの伝送を行う場合に、例えばディスプレイやスピーカ等の出力ユーザＩ／Ｆ部３５を通じた表示や音声出力により、充電と引き換えに充電引換配信データが携帯電話端末２へ伝送されることを端末ユーザへ通知することを行っても良い。
【００５９】
一方、図３において、携帯電話端末２側の内部回路４０は、前記図２の回路基板１５に含まれており、主要な構成要素として、二次側平面コイル１４、分圧抵抗４１、受電回路４２、受電制御部４３、携帯電話充電回路４４、二次電池であるバッテリ４５等を有して構成されている。
【００６０】
受電回路４２は、受電のための構成として整流回路とレギュレータを有し、また、クレードル１へのデータ送信のための構成として二次側平面コイル１４の共振回路とドライバ及び発振回路等を備えている。
【００６１】
受電回路４２の整流回路は、二次側平面コイル１４の両コイル端部間の出力電圧（交流電圧）を、直流電圧に変換してレギュレータへ送る。レギュレータは、整流回路から供給された直流電圧を、当該携帯電話端末の充電回路４４で使用される所定電圧に変換して、受電制御部４３へ送る。
【００６２】
分圧抵抗４１は、二次側平面コイル１４と受電回路４２との間に設けられており、二次側平面コイル１４の両コイル端部間における電圧を分圧し、その分圧出力を受電制御部４３へ送るために設けられている。
【００６３】
受電制御部４３は、主要な構成要素として、制御回路５０、電圧・波形検出器５１等を備えている。
【００６４】
電圧・波形検出器５１には、上記二次側平面コイル１４の両コイル端部間に表れる電圧を分圧抵抗４１により分圧した出力が供給される。当該電圧・波形検出器５１は、上記分圧出力の信号波形を検出して、その検出波形信号を制御回路５０へ出力する。また、電圧・波形検出器５１は、分圧出力の信号波形から、受電信号の周波数を検出する。この周波数検出信号は制御回路５０へ送られる。また、電圧・波形検出器５１は、上記分圧抵抗４１からの電圧値を検出してＡ／Ｄ変換し、そのＡ／Ｄ変換後の電圧値信号を制御回路５０へ送る。
【００６５】
上記制御回路５０は、携帯電話充電回路４４にてバッテリ４５への充電が行われる場合には、上記受電回路４２が受電した電力を、上記携帯電話充電回路４４へ送る。
【００６６】
携帯電話充電回路４４は、受電制御部４３から充電電力が供給された時、バッテリ４５の残量に応じて、上記充電電力を当該バッテリ４５へ送って充電する。
【００６７】
また、制御回路５０は、上記分圧抵抗４１及び電圧・波形検出器５１を通じて供給された上記検出波形信号、つまり二次側平面コイル１４の両コイル端部間に表れる電圧波形の検出波形信号に基づいて、クレードル１の端末載置台への自端末２の接近，離脱の判断等を行う。すなわち制御回路５０は、端末載置台への自端末２の接近，離脱により上記二次側平面コイル１４に発生する電圧変動を、上記分圧抵抗４１及び電圧・波形検出器５１を通じた検出波形信号により検知する。そして、制御回路５０は、上記端末載置台への自端末２の接近，離脱の検知に基づき、必要に応じて、携帯電話充電回路４４への受電電力の供給と停止の制御などを行う。
【００６８】
また、制御回路５０は、電圧・波形検出器５１を通じて供給された上記周波数検出信号により、無接点電力伝送時の二次側平面コイル１４の共振周波数の検出、つまりクレードル１側の一次側平面コイル１０における共振周波数の検出を行う。そして、制御回路５０は、クレードル１の一次側平面コイル１０の共振周波数が変更されたことを検出した場合には、その旨を携帯電話充電回路４４へ知らせる。これにより、携帯電話充電回路４４では、上記共振周波数の変更により送電量が変わった電力に最適化したバッテリ充電制御を行う。
【００６９】
さらに、制御回路５０は変復調回路５２を有している。当該変復調回路５２は、クレードル１へ前述したような充電データ等を送信する際には、そのデータに応じて変調した信号を生成し、その変調信号を受電回路４２へ送る。  
この時、受電回路４２の発振回路は、当該携帯電話端末２からクレードル１へデータ伝送を行う際の基準発振信号を生成し、その基準発振信号をドライバへ出力する。ドライバは、受電制御部４３の制御回路５０による制御の元で、上記発振回路からの基準発振信号を用いて、上記共振回路を共振させることにより、二次側平面コイル１４を所定の共振周波数で発振させる。同時に、ドライバでは、受電回路４３の制御回路５０から供給される情報送信用の変調信号が上記基準発振信号に重畳される。これにより、クレードル１へのデータ送信が行われる。
【００７０】
一方、クレードル１からのデータ受信を行う場合、制御回路５０は、上記分圧抵抗４１及び電圧・波形検出器５１を通じて供給された上記検出波形信号から、上記クレードル１側から送信されてきた変調信号の抽出を行う。そして、変復調回路５２では、上記変調信号の復調が行われる。これにより、クレードル１から送信されてきたデータの受信が行われる。
【００７１】
当該携帯電話端末２のＣＰＵ６１は、携帯電話端末２全体の制御を行う。具体的な制御例として、ＣＰＵ６１は、当該クレードル１から供給された充電電力を用いたバッテリ４５の充電時の制御や、クレードル１の端末載置台上に自端末が載置された場合のクレードル１の認証処理及び制御、クレードル１との間のデータ通信の制御、バッテリ充電時の電池電圧の検出制御や温度検出制御等を行う。なお、図３の例では、当該携帯電話端末２のＣＰＵ６１には、ディスプレイ等の表示部６３やスピーカ等の音声出力部６５、内部メモリ６２、バッテリ４５の温度検出を行うための温度センサ（サーミスタ）４６等が接続された例を挙げているが、それらは一例であり、実際には携帯電話端末２内の各構成要素が接続されている。
【００７２】
ここで、当該携帯電話端末２がクレードル１の認証を行う場合、ＣＰＵ６１は、クレードル１側から送られてくる認証信号と、例えば内部メモリ６２に予め用意されている認証用情報とに基づいた認証処理を行う。なお、本実施形態の携帯電話端末２で行われる認証処理としては、少なくとも、当該携帯電話端末２が無接点充電可能な機種のクレードル１であるか否かを照合する認証処理と、無接点充電の引き換えとして前記充電引換配信データの伝送とその受信を許可するか否かを照合する認証処理とがあり、ＣＰＵ６１では、それらの認証処理及びそのための制御を行う。また、無接点充電の引き換えとして充電引換配信データの伝送とその受信を許可する際の照合のための認証処理は、当該携帯電話端末２と予め登録されたクレードル１との組み合わせが正しいことを照合する認証処理であっても良いし、当該クレードル１に事前に組み込まれているＩＤとの照合を行うような認証処理であっても良い。
【００７３】
また、上記クレードル１から前記充電引換配信データを受信する処理を開始する場合、ＣＰＵ６１は、自端末２のバッテリ４５の電圧データを検出し、当該検出した電圧データをクレードル１側へ伝送させるような制御を行う。なお、バッテリ電圧が所定電圧以下であり、携帯電話端末２側でデータ伝送及び受信動作に耐え得るだけのバッテリ残容量が無いような場合、クレードル１側からは、前述のように実際に充電引換配信データの伝送が開始される前に、少なくとも充電引換配信データを受信できるだけの或る程度の量の電力が当該携帯電話端末２へ伝送されるため、ＣＰＵ６１は、その伝送電力を用いてバッテリ４５の充電を行い、当該充電が終わった後に、実際に上記充電引換配信データの受信を許可するような制御を行っても良い。なお、クレードル１からの充電引換配信データの受信開始は、例えば自動的に行われても良いし、例えばキーボード等を介してユーザが受信開始の指示入力を行った時になされても良い。
【００７４】
また、前記充電引換配信データを上記クレードル１から実際に受信する場合、ＣＰＵ６１は、例えば、充電引換配信データのデータ量に応じた量の電力のみをクレードル１から受電するような制御を行っても良いし、充電引換配信データのデータ量に応じた時間分だけクレードル１から電力を受電するような制御を行っても良い。
【００７５】
さらに、ＣＰＵ６１は、クレードル１からの充電電力の伝送と引き換えに充電引換配信データの受信を行った場合、その充電引換配信データをユーザにより認識できる形態で出力すること、すなわち充電引換配信データが表示可能なデータである場合には表示部６３のディスプレイ上に表示し、また例えば、充電引換配信データが音声出力可能なデータである場合には音声出力部６５のスピーカ等から音声出力するような制御を行う。なお、充電引換配信データの表示や音声出力は、例えば自動的に行われても良いし、例えばキーボード等を介してユーザが表示或いは音声出力指示入力を行った時になされても良い。
【００７６】
〔充電電力の伝送と充電引換配信データの伝送時のクレードルと携帯電話端末の処理例〕
図４には、クレードル１と携帯電話端末２との間の相互認証、充電引換配信データの伝送に応じた充電電力の伝送がなされる際の、クレードル１と携帯電話端末２における処理の流れを示す。なお、図４の例は、相互認証が完了した後、充電引換配信データの伝送後に充電電力の伝送が開始される基本的な流れを示している。
【００７７】
図４において、ステップＳ１でクレードル１の端末載置台上に携帯電話端末２がセットされると、先ず、クレードル１からは、ステップＳ２の処理として携帯電話端末２に対して認証用電力の伝送が行われ、一方、携帯電話端末２では、ステップＳ２１の処理としてクレードル１からの認証用電力の受電により受電制御部４３の制御回路５０が動作を開始する。
【００７８】
携帯電話端末２において制御回路５０が動作を開始すると、携帯電話端末２側では、ステップＳ２２の処理として、自端末２が無接点充電可能な機種であるかをクレードル１側が照合するための端末認証用信号を、当該クレードル１へ伝送する。一方、クレードル１側では、ステップＳ３の処理として、携帯電話端末２側から送られてきた端末認証用信号を用いて、その携帯電話端末２が当該クレードル１による無接点充電に対応した機種であるかを照合する検証処理を行う。
【００７９】
そして、クレードル１は、端末認証用信号による検証にて認証ＮＧであると判定した場合には処理を終了し、一方、認証ＯＫであると判定した場合にはステップＳ５へ処理を進める。
【００８０】
ステップＳ５へ処理を進めると、クレードル１は、携帯電話端末２のバッテリ４５が充電引換配信データの伝送及び受信動作に耐え得るだけの電圧やバッテリ残量を有しているかどうかを確認するための確認信号（以下、第１確認信号と表記する。）を、一次側平面コイル１０を通じて携帯電話端末２側へ伝送する。
【００８１】
上記第１確認信号を二次側平面コイル１４を介して受信した携帯電話端末２は、ステップＳ２３の処理として、携帯電話充電回路４４がバッテリ４５の電圧を検知し、その検知した電圧データをＣＰＵ６１へ送る。そして、ＣＰＵ６１は、その電圧データをクレードル１への送信データとして受電制御部４３の制御回路５０に送る。これにより、携帯電話端末２からは、ステップＳ２４のように、上記バッテリ４５の電圧データがバッテリ電圧検知信号としてクレードル１へ伝送されることになる。
【００８２】
上記バッテリ電圧検知信号を受信したクレードル１は、ステップＳ６の処理として、当該バッテリ電圧検知信号を基に、携帯電話端末２のバッテリ４５が、クレードル１側から伝送される充電引換配信データを受信できるだけの容量が残っているか否か判断する。より具体的に説明すると、クレードル１のＣＰＵ３１は、携帯電話端末２から受信したバッテリ電圧検知信号から得られるバッテリ電圧データを用い、図５に示すようなバッテリ電圧とバッテリ充電容量との関係を表す特性データに基づいて、現時点のバッテリ電圧に対応したバッテリ充電容量が上記充電引換配信データを受信できる程度残っているかどうか判断する。そして、クレードル１のＣＰＵ３１は、図５に示す特性データに基づいて、携帯電話端末２のバッテリ残容量が上記充電引換配信データを受信可能な量よりも少ないと判断した場合、ステップＳ７の処理として送電制御部２２の制御回路２５を制御し、携帯電話端末２が上記充電引換配信データを受信するのに必要な分の電力を送電させる。これにより、携帯電話端末２側では、ステップＳ２５の処理として、クレードル１から伝送された電力を受信してバッテリ４５の充電が行われることになる。また、携帯電話端末２では、その充電により増加するバッテリ電圧をステップＳ２３にて検知し、ステップＳ２４にてそのバッテリ電圧検知信号を携帯電話端末２側へ伝送する。
【００８３】
一方、クレードル１は、上記ステップＳ６にて上記携帯電話端末２のバッテリ残容量が充電引換配信データを受信可能な量だけ残っていると判断した場合には、ステップＳ８へ処理を進める。また、ステップＳ７での電力伝送によりバッテリ残容量が十分な量になったと判断した場合には、クレードル１は、ステップＳ７での電力伝送を中断して、ステップＳ８へ処理を進める。
【００８４】
ステップＳ８の処理に進むと、クレードル１は、相手方の携帯電話端末２が、充電引換配信データの伝送を許可しているユーザの端末であるかどうか、例えば、その携帯電話端末２が当該クレードル１に予め登録されたユーザの携帯電話端末であることの照合、及び、その携帯電話端末２に事前に組み込まれた会員証情報を用いたＩＤ照合を行うための確認信号（以下、第２確認信号と表記する。）を、携帯電話端末２側へ伝送する。
【００８５】
上記第２確認信号を受信した携帯電話端末２は、ステップＳ２６の処理として、クレードル１から送られた第２確認信号により、そのクレードル１が充電引換配信データの伝送をユーザが許可しているクレードル設置者のクレードルであるかの確認処理を行った後、ステップＳ２７の処理として、内部メモリ等に予め格納若しくはキーボードを介してユーザが入力した会員証情報などの会員認証信号をクレードル１へ伝送する。
【００８６】
クレードル１は、ステップＳ９にて上記携帯電話端末２から伝送されてきた会員認証信号を受信し、その会員認証信号により、相手方の携帯電話端末２が充電引換配信データの伝送を許可しているユーザの端末であることを確認すると、ステップＳ１０へ処理を進める。
【００８７】
ステップＳ１０の処理に進むと、クレードル１は、上記充電引換配信データを携帯電話端末２へ伝送するための制御処理を開始し、次いでステップＳ１１の処理として内部メモリ３２或いは外部メモリ３３から充電引換配信データを読み出し、ステップＳ１２の処理としてその充電引換配信データを携帯電話端末２側へ伝送する。
【００８８】
携帯電話端末２は、ステップＳ２８の処理として上記クレードル１から充電引換配信データを受信すると、ステップＳ２９の処理としてその充電引換配信データを例えば内部メモリ等に保存し、さらにステップＳ３０の処理としてその充電引換配信データを表示等する。
【００８９】
また、クレードル１は、ステップＳ１３の処理として、充電引換配信データの送信が終了したか否か判断し、送信が終了したときにはステップＳ１４の処理として、充電引換配信データの送信が終了したことを通知するためのデータ送信終了信号を携帯電話端末２へ伝送する。
【００９０】
その後、クレードル１は、ステップＳ１５の処理として、携帯電話端末２へ充電用の電力を伝送する処理を開始することになる。
【００９１】
また、携帯電話端末２は、ステップＳ３１にて上記データ送信終了信号を受信すると、クレードル１からその後に伝送されてくる電力によりバッテリ４５の充電を行う処理に移行する。
【００９２】
〔充電引換配信データのデータ量に応じた量の電力伝送処理例〕
本実施形態システムでは、図４で説明したように、クレードル１と携帯電話端末２との間の相互認証が完了した後に充電引換配信データの伝送を行い、その充電引換配信データの送信完了後に充電電力の伝送を開始するが、携帯電話端末２へ伝送する電力の量を、充電引換配信データのデータ量に応じた量にする制御も可能となされている。図６には、充電引換配信データのデータ量に応じた電力をクレードル１から携帯電話端末２へ伝送する場合の処理の流れを示す。なお、図６において、図４の各ステップと同じ処理には図４と同一の指示符号を付しており、それらの説明については省略する。
【００９３】
図６において、クレードル１がステップＳ１５にて携帯電話端末２への充電用電力の伝送処理を開始し、さらに、ステップＳ１６にて携帯電話端末２への実際に送電処理を行うと、クレードル１は、ステップＳ１７の処理として、携帯電話端末２側からバッテリ４５が満充電になったことを示す満充電信号が送られてきたか否か判断し、満充電信号が送られてきていない間はステップＳ１８の処理として充電引換配信データのデータ量に応じた量の電力の送電が終了したか否か判断する。
【００９４】
そして、ステップＳ１７にて満充電信号を受信しておらず、且つ、ステップＳ１８にて充電引換配信データの量に応じた電力の送電が終了していない場合、クレードル１は、ステップＳ１６による電力伝送を続ける。
【００９５】
一方、ステップＳ１７にて満充電信号を受信したか、若しくは、ステップＳ１８にて充電引換配信データの量に応じた電力の送電が終了したと判断した場合、クレードル１は、ステップＳ１９の処理として、携帯電話端末２への送電を終了すると共に、携帯電話端末２に対して送電が終了した旨を通知するための送電終了信号を伝送する。
【００９６】
また、携帯電話端末２は、ステップＳ３１にて上記データ送信終了信号を受信した場合、クレードル１からその後に伝送されてくる電力によりバッテリ４５の充電を行うためにステップＳ３２の処理に進む。
【００９７】
次いで、携帯電話端末２は、ステップＳ３３の処理として、クレードル１が上記ステップＳ１９の処理にて送電終了信号を伝送してきたか否か判断し、クレードル１から送電終了信号が送られてきた場合にはステップＳ３６にて充電処理を終了する。
【００９８】
また、携帯電話端末２は、ステップＳ３３にて送電終了信号を受信していない間、ステップＳ３４の処理として、バッテリ４５が満充電になったか否か監視する。携帯電話端末２は、ステップＳ３３にて送電終了信号を受信しておらず、且つ、ステップＳ３４にてバッテリ４５が満充電になっていない場合には、ステップＳ３２による受電及び充電処理を続ける。
【００９９】
一方、ステップＳ３４にてバッテリ４５が満充電状態になったと判断した場合、携帯電話端末２は、ステップＳ３５の処理として、自端末のバッテリ４５が満充電になったことを通知するための満充電信号をクレードル１へ伝送した後、ステップＳ３６へ処理を進める。
【０１００】
なお、図６の例では、充電引換配信データのデータ量に応じた量の電力だけをクレードル１から携帯電話端末２へ伝送する場合を挙げたが、本実施形態システムでは、充電引換配信データのデータ量に応じた時間分だけ、クレードル１から携帯電話端末２へ電力を伝送するような制御も可能となされている。この場合、クレードル１は、例えば図６のステップＳ１８において、携帯電話端末２へ電力伝送を開始してからの経過時間が、充電引換配信データのデータ量に応じて決めた時間になったか否かの判断が行われ、上記経過時間が充電引換配信データのデータ量に応じた時間になった時に、ステップＳ１９へ処理を進めることになる。
【０１０１】
〔携帯電話端末側のメモリ空容量に応じた充電引換配信データの伝送例〕
上述した本実施形態システムでは、クレードル１と携帯電話端末２との間の相互認証が行われた後、充電引換配信データをクレードル１から携帯電話端末２へ伝送する例を挙げたが、例えば、携帯電話端末２の内部メモリが上記充電引換配信データを保存できるだけの空容量を有していない場合や、充電引換配信データを全て内部メモリに保存することをユーザが望まない場合も有り得る。
【０１０２】
このため、本発明実施形態のシステムでは、携帯電話端末２の内部メモリの空容量若しくはユーザが内部メモリへの保存を許可したメモリ容量分、つまり内部メモリに新たにデータを蓄積可能な容量分だけの充電引換配信データを、クレードル１側から伝送することも可能となされている。
【０１０３】
図７には、携帯電話端末２の内部メモリの空容量若しくはユーザが許可したメモリ容量に応じたデータ量の充電引換配信データをクレードル１から携帯電話端末２へ伝送する場合の処理の流れを示す。なお、図７において、図４の各ステップと同じ処理には図４と同一の指示符号を付しており、それらの説明については省略する。
【０１０４】
図７において、携帯電話端末２は、ステップＳ２７での会員認証信号送信処理の後、ステップＳ５１の処理として、自端末の内部メモリの空容量若しくはユーザが許可したメモリ容量に応じた端末メモリ容量信号をクレードル１へ伝送する。
【０１０５】
クレードル１は、ステップＳ９にて携帯電話端末２から会員認証信号を受信した後、さらにステップＳ４１にて端末メモリ容量信号を受信すると、ステップＳ４２の処理として、その端末メモリ容量に応じたデータ量を演算し、そのデータ量に基づいて、携帯電話端末２へ伝送する充電引換配信データを決める。なお、演算により求めたデータ量に応じて決められる充電引換配信データとしては、例えば略々同じ内容でデータ量が異なる複数の充電引換配信データを予め用意しておき、それら複数の充電引換配信データの中から上記演算によるデータ量に応じた充電引換配信データを選ぶような処理であっても良いし、その他にも、例えば動画像データの充電引換配信データを静止画像データの充電引換配信データに変える処理若しくはその逆の処理や、例えば画像や音声データの充電引換配信データをテキストデータの充電引換配信データに変えるような処理若しくはその逆の処理、例えばデータの圧縮率を変えるような処理であっても良い。
【０１０６】
なお、クレードル１側から伝送する充電引換配信データのデータ量よりも、携帯電話端末２の内部メモリの空容量が少なかったり、或いはユーザにより許可されたメモリ容量が少ないような場合には、例えばクレードル１の出力ユーザＩ／Ｆ部３５等にその旨のメッセージなどを表示するようなことも可能である。
【０１０７】
〔充電引換配信データの伝送をユーザが許可しない場合の例〕
本実施形態では、携帯電話端末２への充電電力の供給と引き換えに、当該携帯電話端末２へ充電引換配信データの伝送を行う例を挙げたが、携帯電話端末２のユーザが充電引換配信データの伝送を許可しない場合には、上記充電引換配信データに相当する課金、すなわち携帯電話端末２へのデータ配信に対する謝礼としてクレードル設置者が端末ユーザへ支払い得る額として予め設定された金額に相当する課金を、当該携帯電話端末２のユーザへ求めるようにしても良い。なお、上記データ配信に対する謝礼としてクレードル設置者が端末ユーザへ支払い得る金額とは、携帯電話端末２へ供給する充電電力の電気料金に相当する額であっても良いが、電気料金の算出や設備を不要とするために、本実施形態では、クレードル設置者がデータ配信に対する謝礼として予め設定した額としている。また、実際の課金処理としては、携帯電話端末の通信料への加算や、ユーザが店舗等の会員である場合にその会費等への加算など、その他、様々な手法を用いることができる。
【０１０８】
〔まとめ〕
以上説明したように、本発明の実施形態によれば、クレードル１が店舗や飲食店内、観光地のインフォメーションセンタ内、劇場内、美術館内、遊園地等の施設内、公共施設内などに設置されており、また、携帯電話端末２のバッテリ４５の充電電力は電磁誘導を利用してクレードル１から無接点にて伝送されるため、端末ユーザはＡＣアダプタや充電用のコネクタ、予備バッテリを常に持ち歩く必要が無い。
【０１０９】
また、本発明実施形態によれば、クレードル１の設置者は、携帯電話端末２へ充電電力供給に伴う電気料金を負担したとしても、広告情報やクーポン情報、観光地のお勧めスポット情報、催し物情報など、端末ユーザへ配信することを望む充電引換配信データを、携帯電話端末２へ伝送してその端末ユーザに知らせることができるというメリットを享受することができる。特に、本実施形態の場合、携帯電話端末２へ伝送する充電引換配信データはクレードル１の設置者が自由に決めることができるデータであり、また、帯電話端末２への充電電力の供給とそれに引き換えて伝送する充電引換配信データとの関係についてもクレードル設置者が自由に決めることができるため、当該クレードル設置者は、携帯電話端末２への電力供給に伴う正確な電気料金の計算などは一切不要であり、また、電気料金に応じた電力供給量の調整などの作業や、それらのための設備も一切不要である。
【０１１０】
さらに、本実施形態によれば、クレードル１から携帯電話端末２へ充電引換配信データの伝送が行われるのは、携帯電話端末２のユーザが許可している場合や店舗，施設等のクレードル１から充電電力の供給を受けるための会員登録が既に行われている場合に限られるため、ユーザが望んでいない状況で、不要なデータが携帯電話端末２へダウンロードされてしまうことがない。
【０１１１】
このように、本実施形態によれば、無接点充電が可能であり且つその充電代と引き換えに情報をユーザの端末に伝送することができるため、クレードル設置者とユーザの双方がメリットを受けることが可能である。
【０１１２】
上述した実施形態の説明は、本発明の一例である。このため、本発明は上述した各実施形態に限定されることなく、本発明に係る技術的思想を逸脱しない範囲であれば、設計等に応じて種々の変更が可能であることはもちろんである。
【０１１３】
また、本実施形態では、携帯電話端末２とそのクレードル１を例に挙げたが、本発明はそれらに限定されず、本発明の携帯端末は例えばＰＤＡ（Personal Digital Assistants）やデジタルカメラ、ポータブルオーディオ機器、ポータブルビデオ機器、ポータブルのナビゲーション装置など各種の電子機器にも適用可能である。
【図面の簡単な説明】
【０１１４】
【図１】本発明実施形態の無接点電力伝送システムの概略構成を示す図である。
【図２】本発明実施形態の携帯電話端末とクレードルとの間で行われる無接点電力伝送に関連した主要部の概略的構造の概略断面である。
【図３】本実施形態のクレードルと携帯電話端末における無接点電力伝送とデータ伝送に関連した主要部の詳細な内部回路構成を示すブロック図である。
【図４】本実施形態のクレードルと携帯電話端末との間の相互認証、充電引換配信データの伝送に応じた充電電力の伝送がなされる際の、クレードルと携帯電話端末における処理の流れを示すフローチャートである。
【図５】携帯電話端末のバッテリ電圧とバッテリ充電容量との関係を表す特性図である。
【図６】充電引換配信データのデータ量に応じた電力をクレードルから携帯電話端末へ伝送する場合の処理の流れを示すフローチャートである。
【図７】携帯電話端末の内部メモリの空容量若しくはユーザが許可したメモリ容量に応じたデータ量の充電引換配信データをクレードルから携帯電話端末へ伝送する場合の処理の流れを示すフローチャートである。
【符号の説明】
【０１１５】
１  クレードル、２  携帯電話端末、３  ＡＣアダプタ、４，３３  外部メモリ、５  外部メモリスロット、１０  クレードルの一次側平面コイル、１１  制御基板部、１２  電源コード、１３  携帯電話端末のバッテリ蓋、１４  携帯電話端末の二次側平面コイル、１５  携帯電話端末の回路基板、１６，４５  携帯電話端末のバッテリ、２０  クレードル側の内部回路、２２  送電制御部、２３  送電回路、２４  クレードル側の分圧抵抗、２５  送電制御部の制御回路、２６  波形検出器、２７  電圧監視器、２８  温度検出器、２９  クレードル側の変復調回路、３０  温度センサ、３１  クレードル側のＣＰＵ、３２  クレードルの内部メモリ、３４  入力ユーザＩ／Ｆ部、３５  出力ユーザＩ／Ｆ部、３６  ネットワークＩ／Ｆ部、４０  携帯電話端末側の内部回路、４１  携帯電話端末側の分圧抵抗、４２  受電回路、４３  受電制御部、４４  携帯電話充電回路、５０  受電制御部の制御回路、５１  電圧・波形検出器、５２  携帯電話端末側の変復調回路、６１  携帯電話端末のＣＰＵ、６２  携帯電話端末の内部メモリ、６３  表示部、６５  音声出力部
【図１】
2008295191.tif 000003
【図２】
2008295191.tif 000004
【図３】
2008295191.tif 000005
【図４】
2008295191.tif 000006
【図５】
2008295191.tif 000007
【図６】
2008295191.tif 000008
【図７】
2008295191.tif 000009